(57)【特許請求の範囲】
【請求項１】
釣用リールの脚部を収容挟持するために互いに近接／離反可能に設けられた一対のフード部材と、これら一対のフード部材を互いに近接させるための締結ナットとを備えたリールシートにおいて、
上記一対のフード部材は、リールシートの前方に設けられたフロントフードと、リールシートの後方に設けられたリアフードとにより構成され、フロントフードまたはリアフードのいずれか一方が前後方向に移動することによって両フードが互いに近接／離反に設けられており、
上記両フードのうちいずれか移動する方のフードは、筒状に形成されたフード本体と、フード本体の内部に配設され、上記釣用リールの脚部を囲繞する樹脂製のコア部材とを有し、
上記フード本体及び上記締結ナットは、金属により構成されており、
当該コア部材は、上記フード本体から上記締結ナット側へ突出しており、
この突出部分が上記締結ナットと上記フード本体との直接接触を回避する接触回避部材として機能するリールシート。
【請求項２】
釣竿本体と、釣竿本体を挿通支持するグリップとを有し、当該グリップは、請求項１に記載のリールシートを備えていることを特徴とする釣竿。
【発明の詳細な説明】
【０００１】
【発明の属する技術の分野】
この発明は、釣竿に装着して使用するリールを支持するためのリールシートの構造に関するものである。
【０００２】
【従来の技術および発明が解決しようとする課題】
図３は、従来の釣竿のリールシート部分を示す図である。
【０００３】
この釣竿１は、釣人が把持する部分であるグリップ２と、グリップ２に支持された釣竿本体３とを備えている。グリップ２は、フロントグリップ４およびリアグリップ５を備え、これらの間にリールシート６が設けられている。リールシート６は、シート本体７，フロントフード８，リアフード９および締結ナット１０，１１を備えている。これら締結ナット１０，１１は、リアグリップ５に形成されたねじ軸部１２に螺合されている。
【０００４】
釣用リールを釣竿１に装着するには、まず、釣用リールの脚部をシート本体８のリール載置面１３に当接させた状態で、リアフード９をフロントフード８側へスライドさせる。そして、締結ナット１０，１１を回転させることによって、両フード８，９の間に釣用リールの脚部が挟持され、釣用リールが固定される。
【０００５】
ところで、このリールシート６は、リアフード９を締結ナット１０，１１によって締め付ける構造であるが、釣竿１自体の商品価値（リールシート部分の剛性の確保や高級感等）を向上させるため等の理由により、リアフード９および締結ナット１０，１１を特に金属により構成したいという要請がある。
【０００６】
しかし、これらリアフード９および締結ナット１０，１１を金属により構成すると、締結ナット１０，１１を締め付ける際に、締結ナット１０とリアフード９とが高い面圧で摺接し、そのために長年使用していると双方が損傷してしまい、場合によっては腐食の原因ともなる。
【０００７】
そこで、本発明の目的は、金属製のフードおよび締結ナットを備えたリールシートの構造を改良し、永年使用しても腐食等が発生しないリールシートを提供することである。
【０００８】
【課題を解決するための手段】
(1) 上記目的を達成するため、本願に係るリールシートは、釣用リールの脚部を収容挟持するために互いに近接／離反可能に設けられた一対のフード部材と、これら一対のフード部材を互いに近接させるための締結ナットとを備えたリールシートにおいて、上記一対のフード部材は、リールシートの前方に設けられたフロントフードと、リールシートの後方に設けられたリアフードとにより構成され、フロントフードまたはリアフードのいずれか一方が前後方向に移動することによって両フードが互いに近接／離反に設けられており、上記両フードのうちいずれか移動する方のフードは、筒状に形成されたフード本体と、フード本体の内部に配設され、上記釣用リールの脚部を囲繞する樹脂製のコア部材とを有し、上記フード本体及び上記締結ナットは、金属により構成されており、当該コア部材は、上記フード本体から上記締結ナット側へ突出しており、この突出部分が上記締結ナットと上記フード本体との直接接触を回避する接触回避部材として機能するリールシートである。
【０００９】
この構成によれば、釣用リールの脚部を一対のフード部材の間に配置し、締結ナットを回転させることによって、一対のフード部材により釣用リールの脚部を挟持・固定することができる。このとき、接触回避部材が設けられているので、締結ナットを締め込んだ場合であっても、締結ナットとフード本体とが直接接触することはない。これにより、締結ナットおよびフード本体に傷等が付くことを防止することができる。
【００１０】
また、このようにすれば、少なくとも移動するフードおよび締結ナットが金属により構成されているから、リールシート全体の剛性を向上させて、リールの脚部を強固に固定することができる。しかも、リールシートを上質で高級感のあるものに仕上げることができるという利点もある。
【００１１】
また、このようにすれば、釣用リールの脚部は樹脂製のコア部材によって囲繞されるから、釣用リールをリールシートに装着した場合に、釣用リールの脚部に傷等が付くのを防止することができる。しかも、このコア部材が締結ナット側へ突出しており、当該突出部分が上記接触回避部材を兼ねるので、締結ナットを締め込んだ場合に、締結ナットとフード本体とが直接接触することがなく、両者に傷等が付くことを防止することができる。しかも、コア部材と接触回避部材とを一体的に製造することによって、両者の製造が容易であり製造コストを低減することができるという利点もある。
【００１２】
加えて、釣竿本体と、釣竿本体を挿通支持するグリップとを有し、当該グリップが上記構成のリールシートを備えた釣竿を構成することができる。かかる構成の釣竿では、リールシートのフード本体と締結ナットとが互いに摺接して損傷することがないので、永年使用したとしてもリールシート部分に腐食等が発生することがない。
【００１３】
【発明の実施の形態】
以下、本発明の実施の形態について説明する。
【００１４】
図１は、本発明の一実施形態に係る釣竿の要部拡大正面図である。この釣竿２０は、たとえばルアーロッドとして構成されており、釣竿本体２１と、グリップ２２と、リールシート２３とを備えている。本実施形態の特徴とするところは、リールシート２３の構造にある。すなわち、リールシート２３の一部が金属により構成されている点、およびリアフード２４がコア部材２５を備えており、このコア部材２５の介在により、リアフード２４とこれを締め込む締結ナット２６とが直接に接触しないようになっている点がポイントである。以下、詳しく説明する。
【００１５】
釣竿本体２１は、グリップ２２の内部に挿通されており、グリップ２２によって支持されている。釣竿本体２１は、細長棒状に形成され、たとえばカーボン繊維を筒状に形成する等、公知の要領で製造することができる。なお、図示していないが、釣竿本体２１の所要の位置には、釣糸を案内するガイド部材が適宜配設されている。
【００１６】
グリップ２２は、実釣時において釣人が釣竿２０を実際に把持する部分である。グリップ２２は、フロントグリップ２７およびリアグリップ２８を備えている。これらは、たとえばコルク等により構成することができ、握りやすい外径を有する円柱状に形成されている。また、リアグリップ２８の前方側には、ねじ軸部２９が形成されている。このねじ軸部２９には雄ねじが形成されており、上記締結ナット２６および締結ナット３０が螺合されている。
【００１７】
リールシート２３は、フロントグリップ２７とリアグリップ２８との間に配設されている。このリールシート２３は、釣用のリール（図示せず）を装着・固定するためのものであり、シート本体３１と、フロントフード３２および上記リアフード２４（フード部材）と、締結ナット２６，３０とを備えている。
【００１８】
シート本体３１は、たとえば樹脂やプライウッド等のほか金属により構成することができる。シート本体３１は略円筒状に形成されており、内部に上記釣竿本体２１が挿通されている。シート本体３１の外径は、上記ねじ軸部２９の外径と略同様の寸法に設定されている。また、シート本体３１は、軸方向（図において左右方向）に沿ってその一部が切断されており、この切断面によってリールの脚部が載置されるリール載置面３３が構成されている。
【００１９】
フロントフード３２は、リールシート２３の前方（すなわち、シート本体３１の前方）に固定されている。フロントフード３２は円筒状を呈しており、上記リール載置面３３とフロントフード３２の内面との間に隙間３４が形成されている。そして、リールの脚部の前側部分がこの隙間３４に挿入保持されるようになっている。
【００２０】
また、本実施形態では、フロントフード３２は、リング状のフード本体３５とフード本体３５の内部に嵌め込まれたコア部材（図示せず）とを有している。フード本体３５は金属（たとえばアルミニウム等）により構成されており、コア部材は樹脂（たとえばナイロン等）により構成されている。このようにフード本体３５を金属により構成することによって、フード本体３５の剛性を高くすることができ、また、コア部材を樹脂により構成することによって、リールの脚部とフード本体３５とが接触することを防止することができるので、当該脚部の前側部分が損傷することはない。
【００２１】
図２は、図１における要部拡大図であり、リールシート部分の構造を詳細に示したものである。同図を参照して説明する。
【００２２】
リアフード２４は、リールシート２３の後方（すなわち、シート本体３１の後方）に設けられている。リアフード２４は円筒状を呈しており、シート本体３１に嵌め込まれている。これにより、リアフード２４は、上記ねじ軸部２９およびシート本体３１の軸方向（前後方向：図中左右方向）に沿ってスライド自在となっている。
【００２３】
また、リアフード２４は、リング状のフード本体３６とフード本体３６の内部に嵌め込まれたコア部材２５とを有している。フード本体３６は、上記フード部材３５と同様に金属（たとえばアルミニウム等）により構成されている。また、コア部材２５は、樹脂（たとえばナイロン等）により構成されている。したがって、フロントフード３２と同様に、フード本体３６を金属により構成することによって、フード本体３６の剛性を高くすることができ、また、コア部材２５を樹脂により構成することによって、リールの脚部とフード本体３６とが接触することを防止することができるので、当該脚部の後側部分が損傷することを防止することができる。
【００２４】
コア部材２５は、図に示すように円筒状に形成されているが、内部に脚収容部３７が区画されている。この脚収容部３７は、リールの脚部の後側が挿入される部分であって、がたつきを生じることなくぴったりと保持することができるように形成されている。なお、フロントフード３２のコア部材についても、リールの脚部の前側を収容保持する脚収容部を形成することができるのは勿論である。
【００２５】
コア部材２５の軸方向寸法は、フード本体３６の軸方向寸法よりも長く設定されており、図に示すように、コア部材２５の端面がフード本体３６の端面よりも後方に寸法ａだけ突出している。すなわち、この突出部分３８は、常にリアフード２４のフード本体３６と上記締結ナット２６との間に介在することになる。この突出部分３８の作用効果については後述する。
【００２６】
締結ナット２６，３０は、金属（たとえばアルミニウム等）により構成されている。締結ナット２６は、所定方向へ回転させることによって図中左方へスライドし、これにより、リアフード２４を同方向にスライドさせることができる。すなわち、締結ナット２６を所定方向へ回転させることによって、リアフード２４をフロントフード３２へ近接させることができ、これにより、リアフード２４とフロントフード３２との間でリールの脚部を挟持固定することができる。
【００２７】
また、締結ナット２６と反所定方向へ回転させることによって、リアフード２４を図中右方へスライドさせることが可能となり、これにより、リールをリールシート２３から取り外すことができる。
【００２８】
なお、締結ナット３０は、締結ナット２６が緩んでしまうのを防止するロックナットとして機能する。また、これら締結ナット２６，３０の外周面には、滑り止めのためのローレット３９を形成することもできる。
【００２９】
本実施形態では、締結ナット２６，３０を金属により構成しているのでこれらの剛性が高く、確実にリアフード２４を締め付けてリールをリールシート２３に固定することができるという利点がある。
【００３０】
本実施形態に係る釣竿２０では、次のようにしてリールを装着する。
【００３１】
まず、締結ナット３０，２６を回転させて図中右方へ移動させ、リアフード２４とフロントフード３２とを互いに離反させる。そして、リールの脚部をリール載置面３３に当接させ、その状態でリアフード２４を左方へスライドさせてリアフード２４をフロントフード３２側へ近接させる。次いで、締結ナット２６を回転させてリアフード２４に当接させ、さらに締め込むことによって、リアフード２４とフロントフード３２とによってリールの脚部を挟持することができる。そして、締結ナット３０を締め込んで、締結ナット２６をロックする。
【００３２】
このとき、リアフード２４のコア部材２５の一部によって構成される上記突出部分３８がフード本体３６と締結ナット２６との間に介在することになるので、締結ナット２６を締め込んだ場合であっても、締結ナット２６とフード本体３６とが直接接触することはない。すなわち、この突出部分３８が締結ナット２６とフード本体３６との直接接触を回避する接触回避部材として機能する。
【００３３】
これにより、締結ナット２６およびフード本体３６に傷等が付くことを防止することができる。したがって、これらが摺接することによる損傷を防止でき、永年使用したとしてもリールシート２３に腐食等が発生することがない。しかも、本実施形態では、締結ナット２６，３０およびリアフード２４並びにフロントフード３２が金属により構成されているから、リールシート２３に高級感を醸し出すことができ、釣竿２０の商品価値を向上させることができる。
【００３４】
なお、本実施形態では、リアフード２４のコア部材２５の一部（上記突出部分３８）を上記接触回避部材として機能させたが、リアフード２４と締結ナット２６との間にスペーサを設け、これを接触回避部材として機能させることもできる。この場合、スペーサは薄肉のリング盤状に形成し、ねじ軸部２９に嵌め込むようにすれば良い。また、このスペーサを締結ナット２６の端面４０に固着するようにしても良い。その他、リアフード２４と締結ナット２６とが直接接触しないような部材を、両者間に介在させることができる。
【００３５】
【発明の効果】
以上のように本発明によれば、釣用リールの脚部を挟持するためのフード本体と締結ナットとが直接接触することがないので、これらを金属等により構成した場合であっても両者が摺接することによる損傷を防止でき、永年使用したとしても腐食等が発生することがない。また、フード本体および締結ナットを金属により構成すれば、リールシートの剛性を向上させ、また高級感を醸し出すことが可能となる。
【図面の簡単な説明】
【図１】  本発明の一実施形態に係る釣竿の要部拡大正面図である。
【図２】  本発明の一実施形態に係るリールシートの構造を詳細に示す拡大図である。
【図３】  従来の釣竿のリールシート部分を示す図である。
【符合の説明】
２０  釣竿
２１  釣竿本体
２２  グリップ
２３  リールシート
２４  リアフード
２５  コア部材
２６  締結ナット
２７  フロントグリップ
２８  リアグリップ
２９  ねじ軸部
３０  締結ナット
３２  フロントフード
３６  フード本体
３８  突出部分
【図１】
0003908066.tif 000002
【図２】
0003908066.tif 000003
【図３】
0003908066.tif 000004